(57)【要約】      （修正有）【課題】コンピュータユニットにセキュリティの高いユーザサポートを提供する。【解決手段】コンピュータユニット１０は、自身とサーバ１２との間にネットワーク接続２２を確立する手段と、コンピュータユニット１０がオフ状態又はスリープ状態にある場合のウェイクアップ手段とを備える。コンピュータユニット１０は、コンピュータユニット１０がオフ状態、ハイバネーション状態、又はスリープ状態であろうと、オン状態であろうと、アクティブである移動受信機を備えるか又は移動受信機に接続され、移動受信機は、移動体電気通信接続２０を介して一意の識別子を含む電話の呼の接続要求を受信すると、接続要求を拒否し、受信された一意の識別子が真正であると認定された場合には、コンピュータユニット１０のハードウェア又は移動受信機に記憶された事前にプログラムされたアドレス指定情報を用いてサーバ１２へ新しいネットワーク接続２０；２２を確立する。【選択図】図１
2018152894.tif 000002
【特許請求の範囲】
【請求項１】
自身とサーバ（１２）との間に連絡を確立するように構成されるコンピュータユニット
（１０）であって、該コンピュータユニットは、前記サーバ（１２）とのネットワーク接
続（２２）を確立する手段と、該コンピュータユニットがオフ状態又はスリープ状態にあ
る場合及びオプションとして該コンピュータユニットがオンである場合のウェイクアップ
手段とを備え、
該コンピュータユニット（１０）は、該コンピュータユニットがオフ状態、ハイバネー
ション状態、又はスリープ状態であろうと、オン状態であろうと、アクティブである移動
受信機を備えるか又は該移動受信機に接続され、該移動受信機は、移動体電気通信接続（
２０）を介して一意の識別子を含む電話の呼の接続要求を受信するように適合され、
該コンピュータユニット（１０）は、前記要求を受信すると、前記電話の呼の接続要求
を拒否するように構成され、前記コンピュータユニットは、前記受信された一意の識別子
が、前記受信された識別子を前記コンピュータユニット又は前記移動受信機のメモリに記
憶された１以上の識別子と比較することにより、真正であるかを判定するように構成され
、前記一意の識別子が真正であると認定された場合には、該コンピュータユニット（１０
）は、記憶された宛先以外の宛先に外部通信を方向付けないように、該コンピュータユニ
ットのハードウェア又は前記移動受信機に記憶された事前にプログラムされたアドレス指
定情報を用いて前記サーバ（１２）へ新しいネットワーク接続（２０；２２）を確立する
ように適合される、コンピュータユニット。
【請求項２】
前記移動受信機は、ＧＳＭ、ＴＤＭＡ、ＣＤＭＡ、ＰＤＣ、ＰＨＳ、３Ｇ、ＨＳＤＰＡ
、ＷｉＭＡＸ、Ｗｉｆｉ、又は類似の技術を含むサービスのような前記移動体電気通信接
続を介して接続されるように構成される、請求項１に記載のコンピュータユニット。
【請求項３】
前記コンピュータユニット（１０）のマザーボードは、前記コンピュータがオフ状態に
あるときにロックされ、かつ／又はユーザデータ用のメインストレージ（ＨＤＤ／ＳＤＤ
又は類似のもの）は同じようにロックされ、かつ／又は該ユーザデータは暗号化すること
ができる、請求項１又は２に記載のコンピュータユニット。
【請求項４】
前記コンピュータユニット（１０）は、ＰＣ、ノートブック型パソコン、サーバの一部
であるか、又は任意の車両、船舶に設置されるか、又は他のコンピュータ制御された機器
である、請求項１〜３のいずれか１項に記載のコンピュータユニット。
【請求項５】
前記電話の呼の接続要求は前記サーバによって開始される、請求項１〜４のいずれか１
項に記載のコンピュータユニット。
【請求項６】
前記コンピュータユニットは、前記移動体電気通信接続を介して受信される全ての電話
の呼の接続要求を拒否するように適合される、請求項１〜５のいずれか１項に記載のコン
ピュータユニット。
【請求項７】
前記一意の識別子は、移動ネットワークにおける加入者の発呼者ＩＤ又は別の一意の識
別子である、請求項１〜６のいずれか１項に記載のコンピュータユニット。
【請求項８】
前記電話の呼の接続要求は、無線電気通信に基づいてデジタル信号、アナログ信号、又
は音声信号である、請求項１〜７のいずれか１項に記載のコンピュータユニット。
【請求項９】
前記コンピュータユニット（１０）は、ウェイクオンＬＡＮ（ＷｏＬ）用でありかつ前
記サーバ（１２）との前記ネットワーク接続（２２）を確立する機器を備え、前記移動受
信機が、３Ｇ、ＨＳＤＰＡ、Ｗｉｆｉ、又は類似のもの等の前記移動体電気通信接続（２
０）を介して前記サーバ（１２）から電話要求を受信するように適合されるとき、前記移
動受信機は、前記コンピュータユニットがオフ状態にあってもアクティブであり、前記要
求が真正であると認定された場合には、前記コンピュータユニット（１０）は、前記サー
バ（１２）への新しい別個のネットワーク接続（２０；２２）を確立するように構成され
る、請求項１〜８のいずれか１項に記載のコンピュータユニット。
【請求項１０】
移動受信機と組み合わせた汎用コンピュータを、請求項１〜９のいずれか１項に記載の
コンピュータユニットとして動作するようにプログラムする、コンピュータソフトウェア
。
【請求項１１】
自身と請求項１〜１０のいずれか１項に記載のコンピュータユニットとの間に連絡を確
立するように構成されるサーバ（１２）であって、一意の識別子を含む電話の呼の接続要
求を前記コンピュータユニットに移動体電気通信接続（２０）を介して送信し、該電話の
呼の接続要求が該コンピュータユニット（１０）によって拒否され、前記一意の識別子を
含む前記電話の呼の接続要求に応答して前記コンピュータユニット（１０）から新しいネ
ットワーク接続（２０；２２）を確立する要求を受信するように構成される、サーバ。
【請求項１２】
移動受信機と組み合わせた汎用コンピュータを、請求項１１に記載のサーバとして動作
するようにプログラムするコンピュータソフトウェア。
【請求項１３】
請求項１〜９のいずれか１項に記載のコンピュータユニット（１０）と請求項１１に記
載のサーバ（１２）との間に連絡を確立する方法であって、
移動体電気通信接続（２０）を介して前記サーバから前記コンピュータユニットに一意
の識別子を含む電話の呼の接続要求を送信すること、
前記コンピュータユニット（１０）が、移動受信機を介して前記要求を受信すると、前
記電話の呼の接続要求を拒否すること、及び
前記一意の識別子が真正であると認定された場合、前記コンピュータユニット（１０）
が、記憶された宛先以外の宛先に外部通信を方向付けないように、該コンピュータユニッ
トの前記ハードウェア又は前記移動受信機に記憶された事前にプログラムされたアドレス
指定情報を用いて、前記サーバ（１２）への新しいネットワーク接続（２０；２２）を確
立すること、
を含む、方法。
【発明の詳細な説明】
【技術分野】
【０００１】
本発明は、コンピュータユニット自体と集中型サーバとの間に連絡を確立するように構
成される該コンピュータユニット及び方法を開示し、該コンピュータユニットは、上記サ
ーバとのネットワーク接続を確立する手段と、コンピュータユニットがオフ状態、ハイバ
ネーション状態又はスリープ状態である場合、及びオプションとしてコンピュータユニッ
トがオンである場合のウェイクアップ手段とを備える。
【背景技術】
【０００２】
本発明はさらに、コンピュータと中央サーバとの間に連絡を確立する手順に関し、コン
ピュータは、ウェイクオンＬＡＮ（Wake on LAN）（ウェイクオンＷＡＮ（Wake on WAN）
、ウェイクオンＭＡＮ（Wake on MAN）、及び他の類似の用語で呼ばれることもあるが、
用語としてはＷｏＬを用いることにする）用であると共に、上記サーバへのネットワーク
接続を確立する、機器を組み込んでいる。
【０００３】
本発明の背後にある着想は、中央でサービス提供すると共に、さまざまな市場区分（民
間市場、ＳＯＨＯ（スモールオフィスホームオフィス）からＥＭＢ（エンタープライズ中
規模企業）に至る市場、及びエンタープライズ市場）のＰＣサポート又は他のコンピュー
タユニットのサポートを中央で与える、プログラム及び機器を開発することである。この
市場の大部分（ＥＭＢ区分まで）は、ＰＣサポートがほとんどないか又は全くないが、そ
れでもその日々のビジネスにおいてそのＩＴ基盤への依存はますます増加している。労働
者がますます移動性を有するようになってきている状況において本発明のためのユーザエ
リアが存在するので、この解決法は、エンタープライズ市場にも拡大することができる。
【０００４】
本発明はユーザ／企業のコンピュータを完全に制御する。換言すれば、ユーザは自身の
コンピュータを通常通り用いるが、全てのメンテナンス及びバックアップは、ユーザの積
極的な補助もなく、また使い勝手の低下も性能の低下もなく、中央で管理される。このシ
ステムは、本発明に関しては、デスクトップ、ワークステーション、ラップトップ、及び
サーバ、さらには車両、ボート、船舶、クレーンに組み込まれたコンピュータ及びデバイ
ス、又は他の種類の内蔵型コンピュータ／デバイス等の全ての種類のコンピュータにサー
ビス提供することができる。本発明を、シンクライアント技術に基づく従来のＡＳＰ（ア
プリケーションサービスプロバイダ）解決法と混同してはならない。本発明は、職場、ホ
テル、又は自宅によって例示されるどの場所においても使用することができる。コンピュ
ータは、休暇中であっても、旅行中であっても、又は職場においても１００％メンテナン
スを受けることになる。これによって、使い勝手が向上し、企業は、間違いなくユーザ及
び企業をより効率的にするものである本発明を使用することによって、金銭、時間、及び
リソースを節約することになる。
【０００５】
一例として、ユーザが、コンピュータ又はデバイスが起動することを阻止するウィルス
を有する場合、又はそれ以外で深刻な機能不良がある場合（ユーザはヘルプデスクに連絡
することもあるし、多くの場合、コンピュータが援助を得るために自らサーバと連絡する
ことができる）、システムは、問題となっているコンピュータにアクセスすることができ
、起動されているＷｉｎｄｏｗｓ（登録商標）のようなオペレーティングシステムを必要
とすることなく、必要ならばＢＩＯＳレベル（ハードウェアレベル）に至るまでそのコン
ピュータを点検し、問題を分析し、問題を修正するのに必要なタスクを実行し、コンピュ
ータの使い勝手を修復することができる。コンピュータの制御は、その後ユーザに再び手
渡される。
【０００６】
特許文献１は、ＮＩＣ（ネットワークインターフェースカード）を通じたウェイクアッ
プメッセージでコンピュータにアクセスする手順を記載し、また、ネットワークカードを
通じてＢＩＯＳのデータ（フラッシュメモリに再び記憶される）をどのように変更するこ
とができるのか、及びＢＩＯＳが新しい命令を得て、それにより、実行可能コードが作成
されることを記載している。
【０００７】
特許文献２は、他の機器を通じてコンピュータのブートを可能にする制御情報を有する
「ウェイクオンＬＡＮ」（ＷｏＬ）を記載している。また、特許文献２は、ＩＴ要員がウ
ィルススキャンをどのように管理運営することができ、最初にシャットオフされているコ
ンピュータで、例えば夜間に他のメンテナンスタスクをどのように行うことができるのか
も記載している。特許文献２は、ＷＯＬ処理の結果として、更新されたシステム情報を確
実に処理することができるように、通常のブート中にネットワークカードをどのようにチ
ェックされることができるのかも記載している。
【０００８】
特許文献３は、実行モード、スリープモード、異常オフ状態の３つのステータス、及び
ログの読み出しに関係したＢＩＯＳ及びアプリケーションを有するＷＯＬを記載している
。
【０００９】
特許文献４は、セキュリティの高いアクセスを提供するドッキングステーションに追加
のＬＡＮアダプタを用いて確立されるＷＯＬを記載している。
【００１０】
非特許文献１は、スリープオンＬＡＮと呼ばれる機能を記載している。しかしながら、
ここでは、ＭＡＣアドレス、ＩＰアドレス、グループタグ、又はマジックパケットでコン
ピュータをアドレス指定することによってＳ１〜Ｓ５でリストされた異なるスリープ機能
にアクセスするために、ネットワークカードが用いられている。ウェイクオンＬＡＮ及び
ＰＮＰ  ＢＩＯＳが述べられている。
【００１１】
上述した文書のいずれも、例え、コンピュータがオフ状態にあっても、移動部がネット
ワーク接続を提供するようなモバイルブロードバンドを用いることにより、コンピュータ
を「ウェイクアップ」させる移動サービスの使用を述べていない。
【先行技術文献】
【特許文献】
【００１２】
【特許文献１】米国特許出願公開第２００５０１６６３１３号
【特許文献２】米国特許出願公開第２００８００２８０５３号
【特許文献３】米国特許出願公開第２００５００８６４６０号
【特許文献４】米国特許第６４２１７８２号
【非特許文献】
【００１３】
【非特許文献１】ＩＰ．ＣＯＭ  Ｎｒ  ＩＰＣＯＭ０００１７３７０６Ｄを有するＩＢＭが提供している題名「スリープオンＬＡＮのための方法及び装置（A method and apparatus for Sleep on LAN）」の「技術開示書」
【発明の概要】
【発明が解決しようとする課題】
【００１４】
本発明の目的は、コンピュータユニットの物理的なロケーションに関わらずコンピュー
タユニットにセキュリティの高いユーザサポートを与えると共に、コンピュータユニット
自体が外部サーバ又は別のコンピュータユニットへのセキュリティの高い接続を確立する
、解決法を提供することである。
【課題を解決するための手段】
【００１５】
上述した目的は、独立請求項１に規定されるコンピュータユニットであって、該コンピ
ュータユニットは、該コンピュータユニットがオフ状態、ハイバネーション状態、又はス
リープ状態（若しくは類似の状態）であろうと、オン状態であろうと、アクティブである
移動ユニットを備えるか又は該移動ユニットに接続され、該移動ユニットは、移動体電気
通信接続を介して前記サーバから一意の要求を受信するように適合され、該要求が真正で
あると認定された場合には、該コンピュータユニットは、前記サーバに新しい別個のネッ
トワーク接続を確立するように適合される、コンピュータユニットによって達成される。
【００１６】
このコンピュータユニットの代替的な実施の形態は、それぞれの従属請求項で特定され
る。
【００１７】
前記移動ユニットは、ＧＳＭ（登録商標）、ＴＤＭＡ、ＣＤＭＡ、ＰＤＣ、ＰＨＳ、３Ｇ、ＨＳＤＰＡ、ＷｉＭＡＸ、Ｗｉｆｉ、又は類似の技術を含むサービスである前記移動体電気通信接続を介して接続されるように構成することができる。
【００１８】
前記サーバとの前記ネットワーク接続の確立についての事前にプログラムされた情報を
、例えばＴＰＭチップ等の前記コンピュータユニットのハードウェアにセキュリティの高
い方法で記憶することができる。前記コンピュータユニットは、前記要求を受信すると、
前記接続を解除し、前記記憶された宛先以外の宛先に外部通信を方向付けないように、前
記コンピュータユニットのハードウェアにおける前記ストレージ内にプログラムされた１
つ又は複数のアドレスへの新しい接続をセットアップするように構成することができる。
【００１９】
代替的に、前記コンピュータユニットは、前記要求を受信すると、前記接続を拒否する
ように構成され、前記要求が真正であると認定された場合には、前記記憶された宛先以外
の宛先に外部通信を方向付けないように、前記移動ユニット内に事前にプログラムされた
１つ又は複数のアドレスへの新しい接続をセットアップするように構成される。
【００２０】
さらに、前記コンピュータユニットのマザーボードは、前記コンピュータがオフ状態に
あるときにロックすることができ、かつ／又はユーザデータ用のメインストレージ（ＨＤ
Ｄ／ＳＤＤ又は類似のもの）は同様にロックすることができ、かつ／又は該ユーザデータ
は暗号化することができる。
【００２１】
前記コンピュータユニットは、ＰＣ、ノートブック型パソコン、サーバ、若しくはサー
バファームの一部とすることもできるし、又は任意の車両、船舶に設置することもできる
し、又はコンピュータ機器とすることもできる。
【００２２】
一代替的な実施の形態では、前記コンピュータユニットは、ウェイクオンＬＡＮ（Ｗｏ
Ｌ）用でありかつ前記サーバとの前記ネットワーク接続を確立する機器を備えることがで
き、前記移動ユニットが、３Ｇ、ＨＳＤＰＡ、Ｗｉｆｉ、又は類似のもの等の前記移動体
電気通信接続を介して前記サーバから電話要求を受信するように適合されるとき、前記移
動ユニットは、前記コンピュータユニットがオフ状態にあってもアクティブであり、前記
要求が真正であると認定された場合には、前記コンピュータユニットは、前記サーバへの
新しい別個のネットワーク接続を確立するように構成される。
【００２３】
前記目的は、独立請求項９に規定される方法であって、
一意の識別子を含むモバイルベースの要求を前記サーバから移動体電気通信接続を介し
て前記コンピュータユニットに送信するステップと、
前記コンピュータユニット内の移動ユニットによって前記要求を受信するステップであ
って、受信すると、該要求が識別される、受信するステップと、
を含み、
前記要求が真正であると認定された場合には、前記コンピュータユニットは、前記サー
バへの新しい別個のネットワーク接続を確立し、そうでない場合には、前記要求は拒否さ
れる、方法によっても達成される。
【００２４】
この方法の代替的な実施の形態は、それぞれの独立な方法請求項に記載されている。
【００２５】
前記要求が真正であると認定されるにもかかわらず、全ての要求は好ましくは拒否され
る。
【００２６】
前記サーバとの前記ネットワーク接続に関する情報が、前記コンピュータユニットの前
記ハードウェアに記憶される。
【００２７】
前記要求が真正であると認定された場合には、セキュリティ上の理由により前記初期接
続を拒否することができ、その際に、前記新しい接続が確立される。
【００２８】
同じ理由により、前記一意の識別子は、ＩＭＳＩ（国際移動加入者識別番号）、ＭＳＩ
Ｎ（移動局識別番号）、又は他の類似の技術／今後の技術等の、移動ネットワークにおけ
る発呼者ＩＤ又は他の一意の識別子とすることができる。
【００２９】
前記要求は、無線電気通信に基づくデジタル信号、アナログ信号、又は音声信号とする
ことができる。
【００３０】
次に、本発明を添付図面によって説明することにする。
【図面の簡単な説明】
【００３１】
【図１】本発明を用いるシステムの図である。
【図２】用いられる原理のチャートである。
【発明を実施するための形態】
【００３２】
図は、ネットワーク接続２２を通じてインターネット１４に接続することができるコン
ピュータユニット１０と、同様にネットワーク接続２２を通じてインターネット１４に接
続することができるサーバ１２と、例えば電気通信ライン２１又は対応する接続を介して
コンピュータ１０及びサーバ１２と通信することができる移動体電気通信ライン２０とを
示している。コンピュータに対する初期の接続又は発呼は、電気通信接続２０を用いて確
立される一方、コンピュータ１０とサーバ１２との間の接続の確立は、ケーブル接続及び
モバイルブロードバンド接続のカバレッジに応じて、ネットワーク接続２２又はライン２
０のいずれかを通じて行うことができる。
【００３３】
当業者には、所望により、サーバをサーバファーム又は他の制御ユニットとすることが
できることが理解されよう。さらに、サーバは、ＰＣ、ノートブック型パソコン等の別の
コンピュータユニットとすることができることも理解されなければならず、接続を開始す
るユニットであるが、理解を容易にするために、用語「サーバ」が明細書及び特許請求の
範囲で用いられる。電話要求はさらにデジタル信号、アナログ信号、又は音声信号とする
ことができる。
【００３４】
コンピュータ１０をバックアップ又はサポートすることを可能にするには、ロケーショ
ンに関わらずコンピュータに到達することができることにかかっており、これを最良の方
法で達成するためには、コンピュータが、電気通信接続２０を通じて通信するモバイルブ
ロードバンドユニット（３Ｇ／ＨＳＤＰＡ若しくは類似／今後の技術）を装備するか又は
該モバイルブロードバンドユニットに接続されることである。これは、コンピュータそれ
自体がオフ（ＷｏＬ）、ハイバネーション若しくはスリープ状態（若しくは類似の状態）
、又はオンにされていてもコンピュータ１０内の移動ユニット又はコンピュータ１０に接
続された移動ユニットがオンであるように適合される。解決法には、システム最適化プロ
グラム、余分なファイルの削除、デフラグメンテーション、及びレジストリクリーンアッ
プ等の経年変化を防止する自動化プロセスが含まれる。これは、オペレーティングシステ
ム、コンフィギュレーション、及び今後の技術進歩に応じて変化し得る。さらに、これは
、深刻な問題の場合に素早い援助を考案するために、ストレージユニット上の隠しパーテ
ィションの使用を可能にする。例は、システムパーティションの完全なイメージ、又は最
も頻繁に破損若しくは感染するファイルの小さなイメージとすることができる。他のタス
ク及びプロセスを時間の経過と共に追加することができ、ここで述べているものは、本発
明の目的及び効果のいくつかを例示するための例にすぎない。
【００３５】
移動ユニットは、コンピュータユニットと統合することもできるし、例えばＵＳＢ接続
、赤外線（ＩＲ）、又はブルートゥース（登録商標）によってコンピュータユニットに接続することができる別個のユニットとすることができる。
【００３６】
移動体電気通信接続は、ＧＳＭ、ＴＤＭＡ、ＣＤＭＡ、ＰＤＣ、ＰＨＳ、３Ｇ、ＨＳＤ
ＰＡ、ＷｉＭＡＸ、Ｗｉｆｉ、又は類似の技術を含むサービスとすることができる。
【００３７】
問題が何であり得ようとも、サポートは、もちろん、顧客とサービスとの間の接点とし
て機能する。サポートセンタは、コンピュータ１０にサービス提供している間に用いられ
るサーバ１２を有し、コンピュータに接続して、ウィルススキャン、経年変化防止対策、
バックアップ、若しくは他のタスク等の積極的なサポートを行うか、又は起動することを
拒否しているコンピュータ等の問題に伴い、ユーザを受動的に助けるするために、ユーザ
からは独立している。
【００３８】
セキュリティの技術的説明
１．セキュリティの高いローカルコンピュータ  最も高いセキュリティレベルの例
ａ．バックアップ、システムメンテナンス等の目的のため、これは、サーバが、ＧＳＭ
、ＴＤＭＡ、ＣＤＭＡ、ＰＤＣ、ＰＨＳ、３Ｇ、ＨＳＤＰＡ、ＷｉＭＡＸ、Ｗｉｆｉ、又
は類似の今後の技術のような移動通信デバイスを装備するコンピュータへの移動体電気通
信サービスを通じて、一意の識別子（例えば電話番号又はオープン移動ネットワークを介
して一意の識別子を提供する他の任意の技術等）を用いてコンピュータに要求を送信する
ことにより外部から開始することができる。この要求は、移動受信機、すなわちコンピュ
ータ内の移動ユニット又はコンピュータに接続された移動ユニットによって受信され、移
動受信機において、要求が識別され（例えばＴＰＭチップに記憶されて）、識別が一致す
るものである場合、コンピュータユニットは呼を拒否し、該コンピュータユニットに利用
可能なネットワークを用いてサーバへの新しい接続をセットアップする。これを行うこと
によって、通信を操作してトラフィックの向きを変更することが不可能になる。
ｂ．サーバファーム等との全ての通信を暗号化することができる。
ｃ．コンピュータがオフ状態にあるとき、マザーボードがロックされる。
ｄ．コンピュータがオフ状態にあるとき、ストレージデバイス（複数可）（ＨＤＤ、Ｓ
ＤＤ等）がロックされる。
ｅ．ストレージデバイス（複数可）又はユーザデータエリアが暗号化される。
ｆ．コンピュータへのログインが、バイオメトリックデバイス（指紋、顔認識等）を用
いることによってセキュリティを高くする。
ｇ．窃盗及び内蔵されるか又は別個のトラッキングデバイスを阻止するために、特殊な
ラベル（例えば「極度にセキュリティの高いコンピュータ」又は類似のもの）並びに他の
可視マーキング及び隠しマーキングでコンピュータをマーキングすることができる。
ｈ．リスクを低減するために、管理レベルがロックされる。
ｉ．バックアップがスケジュール通りに行われない場合はログ記録及びアラームを行う
と共に、コンピュータが紛失又は盗難された場合のデータ喪失のリスクを最小にするため
に変更部分（例え、連続的であっても）を頻繁にバックアップする。
ｊ．例えばスパイウェア、アドウェア、ウィルス、及び時間と共に変化する他の脅威の
ような脅威の削除の機能、システムメンテナンスの機能、及びシステム若返りの機能を自
動的に実行し、システム内にログ記憶することができる。
【００３９】
より低いセキュリティが望まれている場合には、機能ａ〜ｊの１つ又は複数を省略する
ことができる。或いは、追加の機能を修正することができる。
【００４０】
この解決法の独自性は主として２つの事項である。
１．コンピュータがどこに位置していても、移動体電気通信技術（ＧＳＭ、ＴＤＭＡ、Ｃ
ＤＭＡ、ＰＤＣ、ＰＨＳ、３Ｇ、ＨＳＤＰＡ、ＷｉＭＡＸ、Ｗｉｆｉ、又は同じ原理に基
づく類似の今後の技術）を一意の識別子（発呼者ＩＤ又は移動ネットワークにおける他の
一意の識別子）と共に用いることによるもの。唯一の必要条件は、コンピュータが位置す
る場所に利用可能な接続があるということである。
２．説明したように、デバイスと連絡することによるもの。これによって、デバイスがオ
フ状態、ハイバネーション状態、又はスリープ状態（若しくは類似の状態）にある場合に
ＷｏＬを行うことが可能になる。これは、以前は（例えば、外部から開始された接続のＮ
ＡＴ又は拒否が原因で）コンピュータのローカライズ及びメンテナンスをサーバファーム
から開始して行うことを不可能にしていたファイアウォール／ルータ又は他のスクリーニ
ングデバイスの背後にコンピュータがある場合であっても、オープン移動技術を用いるこ
とによって、連絡を安全に開始することができることを意味する。
【００４１】
これらの２つの特徴を組み合わせて用いることによって、企業は、自身の地理的ロケー
ションに関わらず又は自身がどのネットワークにいるのかに関わらず、自身のコンピュー
タ又はデバイスを用いて他のタスクに達し、他のタスクをメンテナンスし、かつ／又は他
のタスクを行うことが可能になる。これは、ホテル、自宅、訪問中の他の企業等について
該当し得る。
【００４２】
移動ネットワーク又は類似の技術を用いて、ＷｏＬを通じてセキュリティを高くした接
続を確立するには、次の必要条件（全て強制的であるとは限らないことに留意されたい）
が存在する。
・モバイル／３Ｇ又は類似のサービスを通じてコンピュータ又はデバイスと一意に連絡す
るとき、コンピュータは、ハードウェアにおける安全なストレージエリアの中で（例えば
ＴＰＭチップにおける安全なストレージ）で証明書をチェックして、一致するものを見つ
ける。一致した場合、接続は拒否される。技術が進歩するにつれて、安全性を保証する他
の類似の手段をその時々においてここに適用することができる。
・コンピュータ又はデバイスは、「ホームに発呼して（call home）」、上述したような
自身の安全なストレージ内を再び検索し、どこに接続すべきかを見つけ出す必要があるこ
とを理解する。もし一つがアクセス可能でない場合に、代替的なものとして記憶された複
数のアドレスが存在する場合がある。コンピュータ又はデバイスは、次に、必要に応じて
、利用可能な通信デバイスを起動し、サーバファームに戻る最も高速な接続を検索し、こ
の接続をセットアップする。
・この接続は、暗号化方法（例えばＶＰＮ暗号化トンネル）を用いてセットアップされ、
それによって、通信が高セキュリティであることが保証される。
・任意のオペレーティングシステムが起動される前に、この接続が起動される場合、ハー
ドウェアがそのような暗号化通信をサポートすることが必要条件である。
・これは、コンピュータ自体が、暗号化されかつ十分にセキュリティを高くしたラインを
用いて所定のアドレスにコールバックしない限り、イニシエータがどのポイントにおいて
もコンピュータにアクセスすることができないことを意味する。
・このためのアドレス（複数可）は、ロック及び暗号化されて、外部から又は必要ならば
ユーザによってもアクセス不能であるハードウェア（例えばＴＰＭチップ又は類似／今後
の技術）に高いセキュリティで記憶される。
【００４３】
要約すれば、（例えば、或る者が発呼したときに、移動体に番号が提示されるのと同じ
方法で）要求をコンピュータ又はデバイスに送信する。（例えば移動電話が連絡リストを
検索して一致するものを見つけるように）発呼者を安全なストレージにおいてチェックす
る。発呼者を拒否し、アドレスが他者によってもユーザによっても操作することができな
い所定のアドレス（複数可）への利用可能な接続を用いて、（例えば、連絡リストに有す
るような代替的な番号で）１つ又は複数のロケーションへのセキュリティを高くした接続
をセットアップする。 
【図１】
2018152894.tif 000003
【図２】
2018152894.tif 000004
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
自身とサーバ（１２）との間に連絡を確立するように構成されるコンピュータユニット（１０）であって、該コンピュータユニットは、前記サーバ（１２）とのネットワーク接続（２２）を確立する手段と、該コンピュータユニットがオフ状態又はスリープ状態にある場合及びオプションとして該コンピュータユニットがオンである場合のウェイクアップ手段とを備え、
該コンピュータユニット（１０）は、該コンピュータユニットがオフ状態、ハイバネーション状態、又はスリープ状態であろうと、オン状態であろうと、アクティブである移動受信機を備えるか又は該移動受信機に接続され、該移動受信機は、移動体電気通信接続（２０）を介して一意の識別子を含む電話の呼の接続要求を受信するように適合され、
該コンピュータユニット（１０）は、前記要求を受信すると、前記電話の呼の接続要求を拒否するように構成され、前記コンピュータユニットは、前記受信された一意の識別子が、前記受信された識別子を前記コンピュータユニット又は前記移動受信機のメモリに記憶された１以上の識別子と比較することにより、真正であるかを判定するように構成され、前記一意の識別子が真正であると認定された場合には、該コンピュータユニット（１０）は、記憶された宛先以外の宛先に外部通信を方向付けないように、該コンピュータユニットのハードウェア又は前記移動受信機に記憶された事前にプログラムされたアドレス指定情報を用いて前記サーバ（１２）へ新しいネットワーク接続（２０；２２）を確立するように適合される、コンピュータユニット。
【請求項２】
前記移動受信機は、ＧＳＭ（登録商標）、ＴＤＭＡ、ＣＤＭＡ、ＰＤＣ、ＰＨＳ、３Ｇ、ＨＳＤＰＡ、ＷｉＭＡＸ、又はＷｉｆｉを含むサービスのような前記移動体電気通信接続を介して接続されるように構成される、請求項１に記載のコンピュータユニット。
【請求項３】
前記コンピュータユニット（１０）のマザーボードは、前記コンピュータがオフ状態にあるときにロックされ、かつ／又はユーザデータ用のメインストレージは同じようにロックされ、かつ／又は該ユーザデータは暗号化することができる、請求項１又は２に記載のコンピュータユニット。
【請求項４】
前記コンピュータユニット（１０）は、ＰＣ、ノートブック型パソコン、サーバの一部であるか、又は任意の車両、船舶に設置されるか、又は他のコンピュータ制御された機器である、請求項１〜３のいずれか１項に記載のコンピュータユニット。
【請求項５】
前記電話の呼の接続要求は前記サーバによって開始される、請求項１〜４のいずれか１項に記載のコンピュータユニット。
【請求項６】
前記コンピュータユニットは、前記移動体電気通信接続を介して受信される全ての電話の呼の接続要求を拒否するように適合される、請求項１〜５のいずれか１項に記載のコンピュータユニット。
【請求項７】
前記一意の識別子は、移動ネットワークにおける加入者の発呼者ＩＤ又は別の一意の識別子である、請求項１〜６のいずれか１項に記載のコンピュータユニット。
【請求項８】
前記電話の呼の接続要求は、無線電気通信に基づいてデジタル信号、アナログ信号、又は音声信号である、請求項１〜７のいずれか１項に記載のコンピュータユニット。
【請求項９】
前記コンピュータユニット（１０）は、ウェイクオンＬＡＮ（ＷｏＬ）用でありかつ前記サーバ（１２）との前記ネットワーク接続（２２）を確立する機器を備え、前記移動受信機が、前記移動体電気通信接続（２０）を介して前記サーバ（１２）から電話要求を受信するように適合されるとき、前記移動受信機は、前記コンピュータユニットがオフ状態にあってもアクティブであり、前記要求が真正であると認定された場合には、前記コンピュータユニット（１０）は、前記サーバ（１２）への新しい別個のネットワーク接続（２０；２２）を確立するように構成される、請求項１〜８のいずれか１項に記載のコンピュータユニット。
【請求項１０】
移動受信機と組み合わせた汎用コンピュータを、請求項１〜９のいずれか１項に記載のコンピュータユニットとして動作するようにプログラムする、コンピュータソフトウェア。
【請求項１１】
自身と請求項１〜１０のいずれか１項に記載のコンピュータユニットとの間に連絡を確立するように構成されるサーバ（１２）であって、一意の識別子を含む電話の呼の接続要求を前記コンピュータユニットに移動体電気通信接続（２０）を介して送信し、該電話の呼の接続要求が該コンピュータユニット（１０）によって拒否され、前記一意の識別子を含む前記電話の呼の接続要求に応答して前記コンピュータユニット（１０）から新しいネットワーク接続（２０；２２）を確立する要求を受信するように構成される、サーバ。
【請求項１２】
移動受信機と組み合わせた汎用コンピュータを、請求項１１に記載のサーバとして動作するようにプログラムするコンピュータソフトウェア。
【請求項１３】
請求項１〜９のいずれか１項に記載のコンピュータユニット（１０）と請求項１１に記載のサーバ（１２）との間に連絡を確立する方法であって、
移動体電気通信接続（２０）を介して前記サーバから前記コンピュータユニットに一意の識別子を含む電話の呼の接続要求を送信すること、
前記コンピュータユニット（１０）が、移動受信機を介して前記要求を受信すると、前記電話の呼の接続要求を拒否すること、及び
前記一意の識別子が真正であると認定された場合、前記コンピュータユニット（１０）が、記憶された宛先以外の宛先に外部通信を方向付けないように、該コンピュータユニットの前記ハードウェア又は前記移動受信機に記憶された事前にプログラムされたアドレス指定情報を用いて、前記サーバ（１２）への新しいネットワーク接続（２０；２２）を確立すること、
を含む、方法。
【手続補正２】
【補正対象書類名】明細書
【補正対象項目名】００４３
【補正方法】変更
【補正の内容】
【００４３】
要約すれば、（例えば、或る者が発呼したときに、移動体に番号が提示されるのと同じ方法で）要求をコンピュータ又はデバイスに送信する。（例えば移動電話が連絡リストを検索して一致するものを見つけるように）発呼者を安全なストレージにおいてチェックする。発呼者を拒否し、アドレスが他者によってもユーザによっても操作することができない所定のアドレス（複数可）への利用可能な接続を用いて、（例えば、連絡リストに有するような代替的な番号で）１つ又は複数のロケーションへのセキュリティを高くした接続をセットアップする。
なお、出願当初の特許請求の範囲の記載は以下の通りである。
請求項１：
自身とサーバ（１２）との間に連絡を確立するように構成されるコンピュータユニット（１０）であって、該コンピュータユニットは、前記サーバ（１２）とのネットワーク接続（２２）を確立する手段と、該コンピュータユニットがオフ状態又はスリープ状態にある場合及びオプションとして該コンピュータユニットがオンである場合のウェイクアップ手段とを備え、
該コンピュータユニット（１０）は、該コンピュータユニットがオフ状態、ハイバネーション状態、又はスリープ状態であろうと、オン状態であろうと、アクティブである移動受信機を備えるか又は該移動受信機に接続され、該移動受信機は、移動体電気通信接続（２０）を介して一意の識別子を含む電話の呼の接続要求を受信するように適合され、
該コンピュータユニット（１０）は、前記要求を受信すると、前記電話の呼の接続要求を拒否するように構成され、前記コンピュータユニットは、前記受信された一意の識別子が、前記受信された識別子を前記コンピュータユニット又は前記移動受信機のメモリに記憶された１以上の識別子と比較することにより、真正であるかを判定するように構成され、前記一意の識別子が真正であると認定された場合には、該コンピュータユニット（１０）は、記憶された宛先以外の宛先に外部通信を方向付けないように、該コンピュータユニットのハードウェア又は前記移動受信機に記憶された事前にプログラムされたアドレス指定情報を用いて前記サーバ（１２）へ新しいネットワーク接続（２０；２２）を確立するように適合される、コンピュータユニット。
請求項２：
前記移動受信機は、ＧＳＭ（登録商標）、ＴＤＭＡ、ＣＤＭＡ、ＰＤＣ、ＰＨＳ、３Ｇ、ＨＳＤＰＡ、ＷｉＭＡＸ、Ｗｉｆｉ、又は類似の技術を含むサービスのような前記移動体電気通信接続を介して接続されるように構成される、請求項１に記載のコンピュータユニット。
請求項３：
前記コンピュータユニット（１０）のマザーボードは、前記コンピュータがオフ状態にあるときにロックされ、かつ／又はユーザデータ用のメインストレージ（ＨＤＤ／ＳＤＤ又は類似のもの）は同じようにロックされ、かつ／又は該ユーザデータは暗号化することができる、請求項１又は２に記載のコンピュータユニット。
請求項４：
前記コンピュータユニット（１０）は、ＰＣ、ノートブック型パソコン、サーバの一部であるか、又は任意の車両、船舶に設置されるか、又は他のコンピュータ制御された機器である、請求項１〜３のいずれか１項に記載のコンピュータユニット。
請求項５：
前記電話の呼の接続要求は前記サーバによって開始される、請求項１〜４のいずれか１項に記載のコンピュータユニット。
請求項６：
前記コンピュータユニットは、前記移動体電気通信接続を介して受信される全ての電話の呼の接続要求を拒否するように適合される、請求項１〜５のいずれか１項に記載のコンピュータユニット。
請求項７：
前記一意の識別子は、移動ネットワークにおける加入者の発呼者ＩＤ又は別の一意の識別子である、請求項１〜６のいずれか１項に記載のコンピュータユニット。
請求項８：
前記電話の呼の接続要求は、無線電気通信に基づいてデジタル信号、アナログ信号、又は音声信号である、請求項１〜７のいずれか１項に記載のコンピュータユニット。
請求項９：
前記コンピュータユニット（１０）は、ウェイクオンＬＡＮ（ＷｏＬ）用でありかつ前記サーバ（１２）との前記ネットワーク接続（２２）を確立する機器を備え、前記移動受信機が、３Ｇ、ＨＳＤＰＡ、Ｗｉｆｉ、又は類似のもの等の前記移動体電気通信接続（２０）を介して前記サーバ（１２）から電話要求を受信するように適合されるとき、前記移動受信機は、前記コンピュータユニットがオフ状態にあってもアクティブであり、前記要求が真正であると認定された場合には、前記コンピュータユニット（１０）は、前記サーバ（１２）への新しい別個のネットワーク接続（２０；２２）を確立するように構成される、請求項１〜８のいずれか１項に記載のコンピュータユニット。
請求項１０：
移動受信機と組み合わせた汎用コンピュータを、請求項１〜９のいずれか１項に記載のコンピュータユニットとして動作するようにプログラムする、コンピュータソフトウェア。
請求項１１：
自身と請求項１〜１０のいずれか１項に記載のコンピュータユニットとの間に連絡を確立するように構成されるサーバ（１２）であって、一意の識別子を含む電話の呼の接続要求を前記コンピュータユニットに移動体電気通信接続（２０）を介して送信し、該電話の呼の接続要求が該コンピュータユニット（１０）によって拒否され、前記一意の識別子を含む前記電話の呼の接続要求に応答して前記コンピュータユニット（１０）から新しいネットワーク接続（２０；２２）を確立する要求を受信するように構成される、サーバ。
請求項１２：
移動受信機と組み合わせた汎用コンピュータを、請求項１１に記載のサーバとして動作するようにプログラムするコンピュータソフトウェア。
請求項１３：
請求項１〜９のいずれか１項に記載のコンピュータユニット（１０）と請求項１１に記載のサーバ（１２）との間に連絡を確立する方法であって、
移動体電気通信接続（２０）を介して前記サーバから前記コンピュータユニットに一意の識別子を含む電話の呼の接続要求を送信すること、
前記コンピュータユニット（１０）が、移動受信機を介して前記要求を受信すると、前記電話の呼の接続要求を拒否すること、及び
前記一意の識別子が真正であると認定された場合、前記コンピュータユニット（１０）が、記憶された宛先以外の宛先に外部通信を方向付けないように、該コンピュータユニットの前記ハードウェア又は前記移動受信機に記憶された事前にプログラムされたアドレス指定情報を用いて、前記サーバ（１２）への新しいネットワーク接続（２０；２２）を確立すること、
を含む、方法。